【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
１つ又は複数の埋め込み型医療機器によって感知された信号を表示するシステムであって、
心臓活動と神経活動とを表すデータを前記１つ又は複数の埋め込み型医療機器から受信するテレメトリ回路と、
前記テレメトリ回路に結合されており、前記受信データに基づいて視覚的に表示するために、１つ又は複数の心臓信号と、１つ又は複数の神経信号を生成し、時間的に整列するように適合された表示コントローラを含む外部制御回路と、
前記表示コントローラに結合されており、前記時間的に整列された１つ又は複数の心臓信号と、１つ又は複数の神経信号を同時に表示するように適合された表示機器と、
を備えることを特徴とするシステム。
【請求項２】
前記表示機器がディスプレイ画面を含む請求項１に記載のシステム。
【請求項３】
前記外部制御回路が、前記受信データから１つ又は複数の生理学的パラメータを導くように適合された生理学的パラメータ生成器を更に含み、前記表示機器が、前記１つ又は複数の心臓信号と１つ又は複数の神経信号と一緒に、前記１つ又は複数の生理学的パラメータを同時に表示するように更に適合されたことを特徴とする、請求項１又は２に記載のシステム。
【請求項４】
１つ又は複数のユーザ命令を受信するユーザ入力を更に含み、前記表示コントローラが、前記１つ又は複数のユーザ命令に従って、前記１つ又は複数の心臓信号と、１つ又は複数の神経信号を生成し、かつ、時間的に整列させるように適合されたことを特徴とする、請求項１〜３のいずれか１項に記載のシステム。
【請求項５】
前記ユーザ入力が、前記１つ又は複数の心臓信号と、１つ又は複数の神経信号に関連する時間範囲のユーザ選択を受信するように適合された時間範囲入力機器を含むことを特徴とする、請求項４に記載のシステム。
【請求項６】
前記１つ又は複数の心臓信号が、所定の種類の心臓イベントを各々表す感知された心臓信号と、心臓イベントマーカーを表す少なくとも１つの心臓信号トレースの１つ又は複数を含み、前記１つ又は複数の神経信号が、所定の種類の神経イベントを各々表す感知された神経信号と、神経イベントマーカーを各々表す少なくとも１つの神経信号トレースの１つ又は複数を含み、前記感知された心臓信号と神経信号が、前記１つ又は複数の埋め込み型医療機器によって感知されることを特徴とする、請求項１〜５のいずれか１項に記載のシステム。
【請求項７】
前記神経イベントマーカーが、神経刺激パルスのバーストが伝送される神経刺激期間を各々示す神経イベントマーカーを含むことを特徴とする、請求項６に記載のシステム。
【請求項８】
前記表示機器が、前記少なくとも１つの心臓信号トレースと、前記神経イベントマーカーを同時に表示するように適合されたことを特徴とする、請求項６又は７に記載のシステム。
【請求項９】
前記表示機器が、前記少なくとも１つの神経信号トレースと、前記心臓イベントマーカーを同時に表示するように適合されたことを特徴とする、請求項６又は７に記載のシステム。
【請求項１０】
前記表示機器が、前記少なくとも１つの心臓信号トレースと、前記少なくとも１つの神経信号トレースを同時に表示するように適合されたことを特徴とする、請求項６に記載のシステム。
【請求項１１】
前記表示機器が、前記心臓イベントマーカーと、前記神経イベントマーカーを同時に表示するように適合されたことを特徴とする、請求項６又は７に記載のシステム。
【請求項１２】
請求項１〜１１のいずれか１項に記載のシステムであって、
前記１つ又は複数の埋め込み型医療機器が、
心臓の活動を感知する心臓感知回路と、
心臓刺激パルスを伝送する心臓刺激回路と、
神経の活動を感知する神経感知回路と、
神経刺激パルスを伝送する神経刺激回路と、
伝送された心臓刺激パルス、伝送された神経刺激パルスを含む心臓の活動と神経の活動を表すデータを生成するために、前記心臓感知回路、前記心臓刺激回路、前記神経感知回路、前記神経刺激回路に結合された埋め込み制御回路と、
前記心臓の活動、前記神経の活動を表すために前記埋め込み制御回路に結合された埋め込みテレメトリ回路とを有し、
前記１つ又は複数の心臓信号は、前記心臓の活動と前記伝送された心臓刺激パルスのうちの少なくとも１つを表しており、前記１つ又は複数の神経信号は、前記神経の活動と前記伝送された神経刺激パルスのうちの少なくとも１つを表している、
ことを特徴とするシステム。
【請求項１３】
前記１つ又は複数の埋め込み型医療機器が、少なくとも前記心臓感知回路、前記心臓刺激回路、前記神経感知回路、前記神経刺激回路を含む埋め込み型医療機器を備えていることを特徴とする、請求項１２に記載のシステム。
【請求項１４】
前記埋め込み型システムが、
少なくとも前記心臓感知回路と前記心臓刺激回路を含む埋め込み型心調律管理機器と、
少なくとも前記神経感知回路と前記神経刺激回路を含む埋め込み型神経刺激機器と、
を備えていることを特徴とする、請求項１２に記載のシステム。
【請求項１５】
心臓活動と神経活動を表すデータを１つ又は複数の埋め込み型医療機器から受信するステップと、
前記受信データに基づいて表示する心臓信号と神経信号を生成するステップと、
前記心臓信号と神経信号を時間的に整列させるステップと、
前記時間的に整列された心臓信号と神経信号を表示するステップと、
を含むことを特徴とする方法。
【請求項１６】
１つ又は複数のユーザ命令を受信するステップと、
前記１つ又は複数のユーザ命令に従って表示する心臓信号と神経信号を生成するステップとを更に含む、
ことを特徴とする請求項１５に記載の方法。
【請求項１７】
前記１つ又は複数のユーザ命令を受信するステップが、指定された時間間隔の間に発生するか、又は、検出された心臓活動と神経活動を表すデータのサブセットを選択するユーザ命令を受信するステップを含むことを特徴とする、請求項１６に記載の方法。
【請求項１８】
前記受信データから１つ又は複数の生理学的パラメータを導くステップと、
前記時間的に整列された心臓信号と神経信号と一緒に前記１つ又は複数の生理学的パラメータを同時に表示するステップと、
を更に含むことを特徴とする、請求項１５から１７のいずれか１項に記載の方法。
【請求項１９】
前記時間的に整列された心臓信号と神経信号を表示するステップが、前記時間的に整列された心臓信号と神経信号をリアルタイムで表示するステップを含むことを特徴とする、請求項１５から１８のいずれか１項に記載の方法。
【請求項２０】
前記受信データを格納するステップと、
表示要求を受信するステップとを更に含み、
前記時間的に整列された心臓信号と神経信号を表示するステップが前記表示要求に応答して、前記時間的に整列された心臓信号と神経信号を表示するステップを含む、
ことを特徴とする請求項１５から１９のいずれか１項に記載の方法。
【請求項２１】
前記時間的に整列された心臓信号と神経信号を表示するステップが、
少なくとも１つの心臓信号トレースと心臓イベントマーカーのうちの１つ又は複数を表示するステップと、
少なくとも１つの神経信号トレースと神経イベントマーカーのうちの１つ又は複数を表示するステップとを含む、
ことを特徴とする請求項１５から２０のいずれか１項に記載の方法。
【請求項２２】
前記時間的に整列された心臓信号と神経信号を表示するステップが、神経刺激パルスのバーストが伝送される時間間隔を各々含む神経刺激期間を示す神経イベントマーカーを表示するステップを含むことを特徴とする、請求項１５から２１のいずれか１項に記載の方法。
【請求項２３】
前記時間的に整列された心臓信号と神経信号を表示するステップが、
前記心臓イベントマーカーを表示するステップと、
前記少なくとも１つの神経信号を表示するステップと、
前記神経刺激期間を示す前記神経イベントマーカーを含む前記神経イベントマーカーを表示するステップと、
を含むことを特徴とする、請求項２２に記載の方法。
【請求項２４】
前記時間的に整列された心臓信号と神経信号を表示するステップが、
前記少なくとも１つの心臓信号を表示するステップと、
前記神経刺激期間を示す前記神経イベントマーカーを含む前記神経イベントマーカーを表示するステップと、
を含むことを特徴とする、請求項２２に記載の方法。